(57)【要約】      （修正有）【課題】複数の小切手等の原稿から特定の条件を満たすＭＩＣＲ文字列を有する原稿と、それを有さない原稿とを簡便に区別する前処理を行うことが可能な、画像読取装置を提供する。【解決手段】画像読取装置において、ＰＣ等のホストコンピュータと接続することなく画像読取装置単独で、小切手等の原稿を搬送し、ＭＩＣＲ文字列の読取りを行うモードを有し、ＭＩＣＲ文字列の読取結果に基づき、小切手等の原稿の振り分け処理を行う。【選択図】図３
2010116256.tif 000002
【特許請求の範囲】
【請求項１】
原稿を一枚づつ分離して搬送する搬送手段と、
搬送された原稿に印字されたＭＩＣＲ文字列を読取るＭＩＣＲ読取手段と、
前記ＭＩＣＲ読取手段により出力されるＭＩＣＲ文字列の読取信号の解析手段と、
搬送された原稿の画像を読取る画像読取手段と、
搬送された原稿を排紙する複数の排紙ポケットと、
前記解析手段によるＭＩＣＲ文字列の読取結果に基づいて、搬送された原稿をどの排紙ポケットへ排紙するのかを判断する判断手段を備え、
外部制御装置から制御されることなく前記原稿を搬送し、ＭＩＣＲ読取を実行し、ＭＩＣＲ文字列の読取結果に基づき、小切手等の原稿の振り分け処理を行うことを特徴とする画像読取装置。
【請求項２】
ＭＩＣＲ文字列の読取が正常に行われた原稿とＭＩＣＲ文字列の読取がエラーとなった原稿の振り分け処理を行うことを特徴とする請求項１記載の画像読取装置。
【請求項３】
特定のＭＩＣＲ文字列が印字されている原稿と特定のＭＩＣＲ文字列が印字されていない原稿の振り分け処理を行うことを特徴とする請求項１記載の画像読取装置。
【請求項４】
前記外部制御装置から送信された前記特定の文字列を受信することを特徴とする請求項３記載の画像読取装置。
【請求項５】
前記特定の文字列を画像読取装置の内部メモリに記憶することを特徴とする請求項３記載の画像読取装置。
【発明の詳細な説明】
【技術分野】
【０００１】
本発明は、Ｅ−１３ＢやＣＭＣ７等のＭＩＣＲ（Ｍａｇｎｅｔｉｃ  Ｉｎｋ  Ｃｈａｒａｃｔｅｒ  Ｒｅｃｏｇｎｉｔｉｏｎ）文字列を有する小切手等の原稿を搬送し、搬送された原稿の画像読取を行う画像読取装置に関するものである。
【背景技術】
【０００２】
従来の小切手等の原稿を搬送し、搬送された原稿の画像読取りを行うチェックスキャナ等の画像読取装置の概略構成図を図７に示す。図７の１００は、小切手等の原稿であり、１０４は、複数枚の小切手等の原稿１００を一枚づつ給紙するための分離給送部である。図７の１０５は、小切手等の原稿１００に印字されているＭＩＣＲ文字列を読み取るための磁気ヘッドであり、１０６は、小切手等の原稿１００の画像を読み取るためのイメージセンサである。
【０００３】
図７の１０７は、小切手等の原稿１００が排紙される際、振り分けを行うために排紙ポケットを切り換えるフラッパであり、１０２は、ＭＩＣＲ読取や画像読取等の処理が行われ、排紙される小切手等の原稿を複数枚積載するための第１排紙ポケットである。図７の１０３は、第１排紙ポケット１０２と同様に、ＭＩＣＲ読取や画像読取等の処理が行われ、排紙される小切手等の原稿を複数枚積載するための第２排紙ポケットである。また、図８に小切手等の原稿１００を示す。図８の９０は、小切手等の原稿に印字されたＭＩＣＲ文字列である。
【０００４】
チェックスキャナ等の画像読取装置は、パーソナルコンピュータ等のホストコンピュータと接続されて用いられる。ＵＳＢやＬＡＮケーブル等を介して画像読取装置と接続されているホストコンピュータから、実行開始命令が入力されると、不図示である画像読取装置のモーターが駆動し、給紙ポケットに積載されている複数枚の小切手等の原稿１００は、分離給送部１０４により一枚づつに分離され、搬送される。そして、搬送路中に設けられた磁気ヘッド１０５により、小切手等の原稿１００に印字されているＭＩＣＲ文字列９０の読取りが行われる。ＭＩＣＲ文字の読取信号の情報は、ＵＳＢやＬＡＮケーブル等を介して、接続されているホストコンピュータに送信される。ホストコンピュータは、前記ＭＩＣＲの読取信号の情報を受信して解析を行い、排紙振り分け指示を画像読取装置に送信する。画像読取装置では、イメージセンサ１０６により、小切手等の原稿１００の画像読取が行われる。その後、接続されているホストコンピュータから送信された排紙振り分け指示に従い、フラッパ１０７を切り換えることにより、小切手等の原稿１００は、第１排紙ポケット１０２または第２排紙ポケット１０３へ振り分けられ、排紙される。このような画像読取装置は特許文献１に開示されている。
【特許文献１】特開２００５−０３５６９８号公報
【発明の開示】
【発明が解決しようとする課題】
【０００５】
図８に示されているように小切手等の原稿１００の下部に印字されているＭＩＣＲ文字列９０を読み取るため、図７に示されているように磁気ヘッド１０５は、小切手等の原稿１００に印字されているＭＩＣＲ文字列９０の高さと一致するように搬送路中に配置されている。そのため、小切手等の原稿に印字されているＭＩＣＲ文字列９０が磁気ヘッド１０７の位置と異なる位置を通過するように載置した小切手等の原稿１００が搬送された場合は、ＭＩＣＲ文字列９０の読取りを行うことができず、ＭＩＣＲ文字列９０の読取りエラーが発生する。同様に小切手等の原稿１００を表裏反対に搬送した場合においても、正常なＭＩＣＲ読取信号が得られないため、ＭＩＣＲ文字列９０の識別に失敗し、ＭＩＣＲ文字列９０の読取りエラーとなる。そのため、複数枚の小切手等を搬送してＭＩＣＲ文字列の読取りおよび画像読取りを行う際に、ＭＩＣＲ文字列の読取りエラーが発生しないよう、予め、小切手等の原稿の方向を目視で揃えておく必要があった。
【０００６】
また、磁気ヘッド１０５にＭＩＣＲ文字列９０が接するように小切手等の原稿を正常に搬送した場合においても、印字されたＭＩＣＲ文字列９０の磁気インクのかすれやばらつき等の理由により、ＭＩＣＲ文字列９０の識別に失敗した場合は、ＭＩＣＲ文字列９０の読取りエラーが発生する。画像読取時にＭＩＣＲ文字列の読取りエラーとなった原稿の振り分けを行っておき、画像読取終了後に、エラーとなり振り分けられた原稿の画像読取りを再度行う場合もあるが、再読取には煩わしさがあった。
【０００７】
本発明の目的は、上記課題及び他の課題の少なくとも１つを解決するためになされたものであり、例えば、原稿の方向が逆さまになっている等の理由によりＭＩＣＲ文字列の読取りエラーが発生する原稿と、ＭＩＣＲ文字列が正常に読取れる原稿とを振り分けて区別する準備作業を、本読取りの開始前に、ＭＩＣＲ文字列の読取機能を利用して、画像読取装置単体でも簡便に行える画像読取装置を提供することにある。
【課題を解決するための手段】
【０００８】
上記目的を達成するために、本発明の画像読取装置は、原稿を一枚づつ分離して搬送する搬送手段と、搬送された原稿に印字されたＭＩＣＲ文字列を読取るＭＩＣＲ読取手段と、前記ＭＩＣＲ読取手段により出力されるＭＩＣＲ文字列の読取信号の解析手段と、搬送された原稿の画像を読取る画像読取手段と、搬送された原稿を排紙する複数の排紙ポケットと、前記解析手段によるＭＩＣＲ文字列の読取結果に基づいて搬送された原稿をどの排紙ポケットへ排紙するのかを判断する判断手段を備え、外部制御装置から制御されることなく前記原稿を搬送し、ＭＩＣＲ読取りを実行し、ＭＩＣＲ文字列の読取結果に基づき、小切手等の原稿の振り分け処理を行うことを特徴とする。
【発明の効果】
【０００９】
本発明の画像読取装置は、ホストコンピュータからの制御を必要とすることなく画像読取装置単独で、小切手等のＭＩＣＲ文字列を有する原稿のＭＩＣＲ文字列の読取りを行い、ＭＩＣＲ文字列の読取結果に基づき小切手等の原稿の振り分けを行うことができる。例えば、小切手等のＭＩＣＲ文字列を有する原稿の向きが上下逆さまのもの等が混ざっているような、不揃いの小切手等の原稿束の中から、ＭＩＣＲ文字列の読取りがエラーとなる小切手等と、正常にＭＩＣＲ文字列を読み取ることができる小切手等とを、簡単に振り分けることができる。また本発明の他の実施形態では、印字されているＭＩＣＲ文字列に含まれる銀行コード等の印字内容による原稿の振り分けも、ホストコンピュータからの制御を必要とすることなく、本読取り開始前に行うことができる。以上のように本発明によれば、オペレータの画像読取の作業効率を向上させることができる
【発明を実施するための最良の形態】
【００１０】
以下、本発明の実施の形態を図面を参照しながら説明する。
【実施例１】
【００１１】
本発明に係る画像読取装置の構成概略図を図１に示す。図１の１００は、小切手等の原稿、１０１は、複数枚の原稿からなる原稿束を載置するための給紙ポケット、１０４は、載置された原稿束から原稿を１枚づつ搬送するための分離給送部、１０５は、原稿に印字されたＭＩＣＲ文字列の読取りを行う磁気ヘッド、１０６は原稿の画像読取りを行うイメージセンサである。図１の１０２は、ＭＩＣＲ文字列の読取りや画像読取り等の処理が行われた前記原稿を複数枚収納するための第１排紙ポケット、１０３は第１排紙ポケット１０２同様、ＭＩＣＲ文字列の読取りや画像読取り等の処理が行われた前記原稿を複数枚収納するための第２排紙ポケット、１０７は、小切手等の原稿１００が排紙される際、振り分けを行うために排紙ポケットを切り換えるフラッパである。
【００１２】
ここで、ＭＩＣＲ文字列の読取りや画像読取り等の処理が行われた前記原稿が排紙される際、磁気ヘッド１０５により読取られたＭＩＣＲ文字列の読取結果に基づいてフラッパ１０７を切り換えることで、小切手等の原稿１００を第１排紙ポケット１０２及び第２排紙ポケット１０３に振り分けられるような構成となっている。また、本発明に係る画像読取装置の内部構成概略図を図２に示す。図２において、画像読取装置は、全体の処理を司るＣＰＵ２０１、ＭＩＣＲ読取り部１０５、イメージセンサ１０６、各種設定を記憶するＥＥＰＲＯＭ２０２および画像データ、ＭＩＣＲデータを格納するＲＡＭ２０３を備え、これらの各部はバスにより互いに接続されている。
【００１３】
排紙振り分け設定のみＰＣ等のホストコンピュータ（外部制御装置）を用いて行う場合の動作を示す、ホストコンピュータ側の処理フローチャートを図３（Ａ）に例示する。また、このときの一連の動作を示す画像読取装置側の処理フローチャートを図３（Ｂ）に例示する。まず、ＵＳＢやＬＡＮケーブル等を介して画像読取装置と接続されているホストコンピュータにて小切手等の原稿の排紙振り分け設定のための操作が行われる（ステップＳ１０１）。なお、この排紙振分設定のためのオペレータ操作は、予め画像読取装置に記憶されている設定情報や、前回の設定をそのまま使う場合等には不要である。
【００１４】
図４および図５にＰＣ等のホストコンピュータの表示部に表示される排紙振り分け設定画面の一例を示す。ここで、ＭＩＣＲ文字列中に印字されている銀行コードを用いて排紙振り分け設定を行う場合について説明する。ホストコンピュータのスキャナアプリケーションのメニュー等から、排紙振り分け設定の実行が選択されると、図４の排紙振り分け設定画面が表示される。この図４に示されている画面においてオペレータは、排紙条件を設定する排紙ポケットをマウスやキーボード等で指定する。ＯＫボタン６０をマウスやキーボード等で選択すると、指定されていた第1排紙ポケットの排紙振り分け設定を入力する図５の画面が表示される。また、図４の画面を表示させた時点において、既に排紙ポケットに振り分け排紙設定が行われている場合は、設定されている排紙ポケットの右側の表示部６１に、設定済みの排紙振り分け設定が表示される。
【００１５】
図５の画面は、第1排紙ポケットの排紙振り分け設定の入力や修正を行う画面の一例である。この画面においてオペレータは、例えば、ＭＩＣＲ文字列が正常に読取れる原稿を第1排紙ポケットに収納するような設定、あるいは指定した銀行コードが印字されている原稿を第1排紙ポケットに収納するような設定等、どのようなＭＩＣＲ文字列を有する原稿について第1排紙ポケットに収納する振り分けを行うのかを設定する。小切手等の原稿をＭＩＣＲ文字列中に印字されている銀行コードにより排紙振り分けを行う場合は、銀行コードボタン７２を選択し、指定する銀行コードをキーボード等から入力する。入力された銀行コード等の文字列情報は内部メモリであるＥＥＰＲＯＭ２０２等に記憶される。
【００１６】
この設定を行うと、読取時に小切手等の原稿に印字されている銀行コードが入力した銀行コードと等しいと判断された場合は、第１排紙ポケットへ振り分け排紙され、小切手等の原稿に印字されている銀行コードが入力した銀行コードと一致しない場合は、第２排紙ポケットへ振り分け排紙されることになる。排紙振り分け設定の入力が終了した後、設定ボタン７０をマウスやキーボード等で選択することにより、図５の設定画面で入力した排紙振り分け設定情報が記憶されるとともに画像読取装置へと送信される。また、ここで、キャンセルボタン７１を選択した場合には、図５の設定画面で入力した排紙振り分け設定情報は、画像読取装置へは送信されず、図４に示される画面が表示される。
【００１７】
画像読取装置は、ホストコンピュータにて図５の設定画面で設定された排紙振り分け設定情報を受信すると、画像読取装置内部の不揮発性メモリであるＥＥＰＲＯＭ２０２に排紙振り分け設定情報を保存しておくものとする。上述の排紙振り分け設定（ステップＳ１０１）終了後に、本発明の振分処理を実行するときはＰＣ等のホストコンピュータと接続しておく必要はないが、接続したままでも差し支えない。これは、本発明の振分処理がホストコンピュータからの制御を必要とせず、画像読取装置単体で実行可能だからである。
【００１８】
図３（Ｂ）は画像読取装置のＣＰＵ２０１が制御して本発明の画像読取装置において振分処理を実行する際のフローチャートである。画像読取装置の操作パネル等から小切手等の原稿の振り分けを実行するモードが選択され（ステップＳ２０２）、処理を開始するための開始命令が操作パネル等から入力されたと認識すると（ステップＳ２０３）、画像読取装置の不図示のモーターを駆動し、給紙ポケット１０１に載置されている複数枚の小切手等の原稿束から、分離給送部１０４により分離された一枚づつの原稿１００の搬送を開始する（ステップＳ２０４）。
【００１９】
小切手等の原稿１００に印字されているＭＩＣＲ文字列９０が、搬送路中に設置された磁気ヘッド１０５と接しながら一定の速度で移動することで磁気ヘッド１０５から出力されたＭＩＣＲ文字列の読取信号が、不図示であるＡＤコンバータによりデジタル信号へ変換され、画像読取装置内部のＲＡＭ２０３に保存される（ステップＳ２０５）。画像読取装置のＣＰＵ２０１は、印字されているＭＩＣＲ文字を識別するために、前記したデジタル信号に変換されたＭＩＣＲ文字の読取信号と予め登録されている各ＭＩＣＲ文字の辞書データが一致するかどうか解析する（ステップＳ２０６）。
【００２０】
その後、小切手等の原稿は、搬送路中に設置されたイメージセンサ１０６を通過するが、本フローチャートの原稿の振り分けを実行するモードでの処理では、イメージセンサ１０６での原稿の画像読取りは行わない。そして、小切手等の原稿１００は、排紙される際、画像読取装置内部の不揮発性メモリであるＥＥＰＲＯＭ２０２に保存されている排紙振り分け設定に従い、第１排紙ポケットおよび第２排紙ポケットへ排紙される。ステップＳ２０６でのＭＩＣＲ読取信号解析にて、ＭＩＣＲ文字列の読取りが正常に行われたと判断し（ステップＳ２０７でＹＥＳ）、読取ったＭＩＣＲ文字列中に銀行コードが存在すると判断し（ステップＳ２０８でＹＥＳ）、小切手等の原稿に印字されている銀行コードがステップＳ１０１でホストコンピュータから送信され画像読取装置が受信した銀行コード（特定の文字列）と一致すると判断した場合 （ステップＳ２０９でＹＥＳ）には、フラッパ１０７を第１排紙ポケット側へ切り換え、小切手等の原稿を第１排紙ポケット１０２へ排紙する（ステップＳ２１０）。受信した銀行コード（特定の文字列）の情報は、テキストデータでもよく、また信号波形データでもよい。
【００２１】
また、ＭＩＣＲ読取信号解析（ステップＳ２０６）にて、ＭＩＣＲ文字列の読取りエラーが発生した場合（ステップＳ２０７でＮＯ）、又は読取ったＭＩＣＲ文字列中に銀行コードが存在しない場合（ステップＳ２０８でＮＯ）、又は小切手等の原稿に印字されている銀行コードがステップＳ１０１でホストコンピュータから送信された銀行コードと一致しない場合（ステップＳ２０９でＮＯ）には、フラッパ１０７を第２排紙ポケット側へ切り換え、小切手等の原稿を第２排紙ポケット１０３へ排紙する（ステップＳ２１１）。
【００２２】
画像読取装置は、前記した搬送処理（ステップＳ２０４）から第１排紙ポケット１０２および第２排紙ポケット１０３への排紙処理（ステップＳ２１０、ステップＳ２１１）までの処理を給紙ポケット１０１に積載されている複数枚の小切手等の原稿１００がなくなったと判断する（ステップＳ２１２でＹＥＳ）まで繰り返し行う。
【００２３】
なお、既に設定されている排紙振り分け設定と同じ設定にて排紙振り分けを行う場合は、ＰＣ等のホストコンピュータと接続してホストコンピュータから行う排紙振り分け設定のオペレータ操作（ステップＳ１０１）を再度行う必要はなく、排紙振り分けを実行したい複数枚の原稿を給紙ポケットへ積載し、必要があれば画像読取装置の操作パネルから小切手等の原稿の振り分けモードを選択し（ステップＳ２０２）、操作ボタンを押す等の開始実行命令を入力することで（ステップＳ２０３）本処理は実行される。
【００２４】
以上説明したように、本発明の画像読取装置は、ホストコンピュータからの制御を必要とせず、小切手等の原稿を搬送し、小切手等の原稿に印字されたＭＩＣＲ文字列の読取結果により小切手等の原稿を振り分け、簡便に小切手等の原稿を区別することが出来る。
【００２５】
上記実施の形態では、排紙振り分け設定情報の新規設定や変更を行う際、ＰＣ等のホストコンピュータと接続しているが、図６に示すような操作パネルを有する画像読取装置であれば、排紙振り分け設定情報の新規設定や変更もホストコンピュータと接続することなく、画像読取装置側にて行うことが可能である。図６に画像読取装置の操作パネルの概略構成図を例示する。操作パネルは、表示部８０とボタン操作部８１とを有する。ボタン操作部８１は、スタートボタン８２、テンキーボタン８３、ストップボタン８４、振り分けモードボタン８５を有する。メニューから排紙振り分け設定が選択されると、図４に示した画面と類似の画面が操作パネル上の表示部８０に表示され、画像読取装置にて排紙振り分け設定を行うことが可能である。
【００２６】
また、上記実施の形態では、二つの排紙ポケット(第１排紙ポケット１０２および第２排紙ポケット１０３)にて小切手等の原稿１００の排紙振り分けを行っているが、これに限らず、３つ以上の排紙ポケットにて小切手等の原稿の排紙振り分けを行ってもよい。
【００２７】
また、上記実施の形態では、小切手等の原稿の排紙振り分け設定として、小切手等の原稿に印字されたＭＩＣＲ文字列の読取りが正常であるか否かによる排紙振り分け設定及び、銀行コードを指定することによる排紙振り分け設定等を行うことが可能であるが、これに限らず、小切手等の原稿に印字されている銀行コード以外のＭＩＣＲ文字列の印字内容に基づき排紙振り分け設定を行うことも可能である。
【００２８】
上記実施形態では、１つの排紙振り分け設定情報を画像読取装置内部の不揮発性メモリであるＥＥＰＲＯＭへ保存しているが、複数の排紙振り分け設定情報を画像読取装置内部の不揮発性メモリであるＥＥＰＲＯＭへ保存し、原稿の振り分け処理の実行の前に、複数の保存された排紙振り分け設定情報の中から選択してもよい。なお、ＭＩＣＲ読取信号を解析するのではなく、イメージセンサで読み取った画像を画像読取装置内部において解析して原稿の向きや大きさを判断し、ホストコンピュータから制御されることなく振り分ける処理を行ってもよい。
【図面の簡単な説明】
【００２９】
【図１】画像読取装置の概略の構成を示す上面図
【図２】画像読取装置の制御系の概略構成を示す図
【図３】本発明の実施例における一連の動作を説明するフローチャート
【図４】ホストコンピュータにおける排紙振り分け設定画面を示す図
【図５】ホストコンピュータにおける排紙振り分け設定画面を示す図
【図６】画像読取装置の操作パネルを示す図
【図７】画像読取装置の概略の構成を示す斜視図
【図８】原稿を例示する図
【符号の説明】
【００３０】
９０  ＭＩＣＲ文字列
１００  原稿１０１  給紙ポケット
１０２  第１排紙ポケット
１０３  第２排紙ポケット
１０４  分離給送部
１０５  磁気ヘッド
１０６  イメージセンサ
１０７  フラッパ
【図１】
2010116256.tif 000003
【図２】
2010116256.tif 000004
【図３】
2010116256.tif 000005
【図４】
2010116256.tif 000006
【図５】
2010116256.tif 000007
【図６】
2010116256.tif 000008
【図７】
2010116256.tif 000009
【図８】
2010116256.tif 000010